(57)【特許請求の範囲】
【請求項１】
一端にペン先部を有する筆記芯と、
ペン先部側を開口する略Ｕ字状に形成される操作本体と、
前記操作本体の開口部に設けられ、ガイド手段により前記操作本体に対して相対的に前後動可能に形成されるカバー本体と、
前記操作本体に対して前記カバー本体を相対的に前方側に付勢する付勢手段と、を有し、
前記操作本体は、
前記操作本体の前端部に対向して設けられる操作部と、
前記操作部に内向突起状に対向して形成される係合部と、
前記操作部に連設し、弾性力を有する脚部と、
前記操作部又は脚部から側面に沿って張出す張出し状部と、
前記脚部間を接続する基部から前方に立設し、前記筆記芯の後端部が挿入されることにより前記筆記芯を保持するホルダーと、を有し、
前記カバー本体は、
前記カバー本体を前後に貫通し、前記筆記芯が挿通可能に形成される貫通孔と、
前記操作部の押圧操作により前記係合部が当接して前記操作本体に対してカバー本体を相対的に後方移動するよう斜面状に形成される駆動斜面と、
前記係合部と係合することにより前記カバー本体の前方移動を規制する規制部と、
前記操作本体の少なくとも一方の側面に、平板状に形成される側板と、を有し、
前記側板は、前記張出し状部の少なくとも一部を覆うように形成されていることを特徴とする筆記具。
【請求項２】
前記操作部は、横断面略円弧状に形成されるとともに、該横断面円弧状の端部が前記張出し状部として形成されていることを特徴とする請求項１記載の筆記具。
【発明の詳細な説明】
【技術分野】
【０００１】
本発明は、筆記具を持ったときにはペン先が突出し、筆記具を離したときにはペン先を没入することができる筆記具に関する。
【背景技術】
【０００２】
従来から、筆記具を手で持つ動作によりペン先を突出し、非筆記時には、特別な操作をしなくても手から筆記具を離すことでペン先が没入する筆記具が提案されている。
【０００３】
特許文献１では、Ｕ字状の外ケース（２）の両側片（２ａ）間に筆記用リフィール（４）を備え、この筆記用リフィール（４）が挿入される挿入孔（９）を有する内ケース（３）が外ケース（２）の両側片（２ａ）間に摺動自在に嵌合する筆記具が提案されている。外ケース（２）と内ケース（３）間には、付勢手段（５）が設けられ、内ケース（３）を前方（筆記用リフィール（４）のペン先側）に付勢している。内ケース（３）は、カバー片（３ａ）の後端の係合段部（１１）が外ケース（２）に設けられる係止突部（６ａ）と当接することにより、前方への抜け止めがなされている。よって、非筆記時には筆記用リフィール（４）の先端（ペン先）は没入される。
【先行技術文献】
【特許文献】
【０００４】
【特許文献１】特開２００１−３１５４８７
【発明の概要】
【発明が解決しようとする課題】
【０００５】
上述の筆記具（１）においては、外ケース（２）が軸心回りに両側片（２ａ）が受ける力により発生する捩れ変形を防止する手段が設けられていない。よって、何らかの誤操作により両側片（２ａ）に軸心回りの力が加わった場合、捩り変形により外ケース（２）が破損する恐れがある。
【課題を解決するための手段】
【０００６】
本発明は、一端にペン先部を有する筆記芯と、ペン先部側を開口する略Ｕ字状に形成される操作本体と、前記操作本体の開口部に設けられ、ガイド手段により前記操作本体に対して相対的に前後動可能に形成されるカバー本体と、前記操作本体に対して前記カバー本体を相対的に前方側に付勢する付勢手段と、を有し、前記操作本体は、前記操作本体の前端部に対向して設けられる操作部と、前記操作部に内向突起状に対向して形成される係合部と、前記操作部に連設し、弾性力を有する脚部と、前記操作部又は脚部から側面に沿って張出す張出し状部と、前記脚部間を接続する基部から前方に立設し、前記筆記芯の後端部が挿入されることにより前記筆記芯を保持するホルダーと、を有し、前記カバー本体は、前記カバー本体を前後に貫通し、前記筆記芯が挿通可能に形成される貫通孔と、前記操作部の押圧操作により前記係合部が当接して前記操作本体に対してカバー本体を相対的に後方移動するよう斜面状に形成される駆動斜面と、前記係合部と係合することにより前記カバー本体の前方移動を規制する規制部と、前記操作本体の少なくとも一方の側面に、平板状に形成される側板と、を有し、前記側板は、前記張出し状部の少なくとも一部を覆うように形成されていることを特徴とする筆記具、である。
【発明の効果】
【０００７】
本発明によれば、略Ｕ字状に形成される操作本体の操作部を押圧操作することで筆記芯を突出することができるので、通常の筆記具の持ち方をするだけで筆記芯を突出して筆記することができる。そのうえ、操作本体の操作部又は脚部から膨出する張出し状部が側板に当接することで、操作本体が軸心回りの力を受けた場合の操作本体に発生する捩り変形を防止することができる。
【図面の簡単な説明】
【０００８】
【図１】本発明の実施例１に係る筆記具の縦断面図であり、ペン先部が没入した状態（定常状態）を示す図である。
【図２】図１に対して、操作部の押圧操作によりペン先部を突出させた状態（筆記状態）を示す縦断面図である。
【図３】図１に対応した筆記具１の外観を示す図である。
【図４】図２に対応した筆記具１の外観を示す図である。
【図５】図３を裏面（背面）から見た図である。
【図６】操作本体の部品図である。（ａ）はペン先部側から見た図であり、（ｂ）は図１，３に対応した面から見た図である。
【図７】カバー本体の部品図である。（ａ）は上方から見た図であり、（ｂ）は図１，３に対応した面から見た図である。
【発明を実施するための形態】
【０００９】
以下、図面を参照しつつ本発明の実施例について説明する。なお、以下の説明において、前方向は、ペン先部（３ａ）側の方向を指す。
【実施例１】
【００１０】
本発明の実施例における筆記具１の構成について、図１を主に参照しつつ説明する。筆記具１は、ペン先部（３ａ）側に開口する略Ｕ字状に形成された操作本体２を有する。操作本体２は、後端部分である基部２ａから前方側に延び、対向して設けられる脚部２ｂを有している。脚部２ｂは、平板状に形成されている。脚部２ｂの前方側端部には、操作部２ｃが連設されている。操作部２ｃは、ペン先部（３ａ）から見て略円弧状に形成されている（図６（ａ）参照）。さらに、操作部２ｃの円弧状端部２ｃ１（張出し状部）は、Ｒ面取りされつつ傾斜面が設けられている。これにより、対向する操作部２ｃの押圧操作により操作部２ｃ間が狭小動作する際、操作部２ｃ間に誤って置かれた手指等を外方に押し出し、けが等を防止することができる。
【００１１】
なお、操作本体２は、全体を合成樹脂材料にて形成されている。よって、脚部２ｂは、操作部２ｃの押圧操作により弾性変形されるとともに、操作部２ｃの押圧力の解除により、弾性変形される前の形態に復帰することができる。
【００１２】
脚部２ｂ間（換言すれば、基部２ａの前端中央部）には、前方に向って軸心に沿って円筒状にホルダー２ｄが立設している。ホルダー２ｄの前端部近傍は外径、内径ともに拡径されている。すなわちホルダー２ｄ後方の小内径部２ｄ１で筆記芯３（インクタンク３ｂ）の後部を保持している。この保持力の程度は、手指等で抜差しができる程度の保持力である。なお、この保持力は、ホルダー２ｄの側面に開けられた長孔２ｄ４（図６（ｂ）参照）により適宜設定されるものである。
【００１３】
ホルダー２ｄの前端部にある大内径部２ｄ２は、後述の付勢部材であるコイルバネ４の外形を遊嵌しつつ、ガイドしている。そして、大内径部２ｄ２と小内径部２ｄ１との接続部２ｄ３が傾斜状に形成されることにより、コイルバネ４の一端を係止可能に形成されている。
【００１４】
また、操作部２ｃの後端の内面には、軸心と直交する平面と平行にして軸心方向に立設する（換言すれば、内向き突起状に形成される）係合壁２ｅが設けられている。係合壁２ｅの端部後方側は、後述の規制段部５ｅや係合段部５ｄと係合する係合部２ｅ１が角状に形成されている。なお、係合壁２ｅには、補強のためのリブ２ｅ２が設けられている。
【００１５】
ここで、本実施例における筆記芯３は、先端にペン先部３ａを有し、ペン先部３ａと接続されるインクタンク３ｂを有する、いわゆるボールペンの中芯である。
【００１６】
操作本体２の開口部位（脚部２ｂ，操作部２ｃ）の間には、カバー本体５（図１，図３，図７参照）のカバー本体部５ａが設けられている。カバー本体部５ａは、外観を概略角筒状に形成されている。カバー本体部５ａには軸心に沿って筆記芯３が挿通する貫通孔５ｂが貫通している。貫通孔５ｂの後方側は大内径部５ｂ１として形成され、前方側は小内径部５ｂ２として形成されている。大内径部５ｂ１と小内径部５ｂ２の接続部５ｂ３は、大内径部５ｂ１側から連設する傾斜状に形成される部分と、当該傾斜状に形成される部分から連設して設けられ、コイルバネ４の外径より若干大きく形成された内径部分を介して段部を形成しつつ小内径部５ｂ２と接続する部分と、よりなる。そして、この接続部５ｂ３（具体的には前記コイルバネ４の外径より若干大きく形成された内径部分）により、コイルバネ４の他端部が保持されている。保持力は、軽く嵌合される程度のものである。
【００１７】
これにより、カバー本体部５ａの接続部５ｂ３及びホルダー２ｄの接続部２ｄ３間でコイルバネ４は保持されるとともに、操作本体２に対してカバー本体５（カバー本体部５ａ）を前方側に付勢している。
【００１８】
ここで、カバー本体部５ａの大内径部５ｂ１の内径は、前述のホルダー２ｄの大内径部２ｄ２の外周と摺接してガイド手段が形成されている。これにより、カバー本体部５ａ（カバー本体５）は、操作本体２に対して前後動可能にガイドされている。
【００１９】
さらに、接続部５ｂ３近傍の外周上には、操作本体２の係合壁２ｅと対向する位置に駆動斜面５ｃが形成されている。この駆動斜面５ｃは、カバー本体部５ａの外面に対して前方側を低くして後方側を高くするよう鋭角斜面状に設けられている。そして、駆動斜面５ｃの前方側の端部には、係合段部５ｄが連設されている。一方、駆動斜面５ｃの後方側の端部には、規制段部５ｅが連設されている。定常状態（ペン先部３ａの没入状態）においては、前方に付勢されるカバー本体５の前方側への移動が、係合部２ｅ１と規制段部５ｅの係合により規制されている。
【００２０】
ここで、図７を参照する。カバー本体５には、カバー本体部５ａから後方へ延びるように立設する支持リブ５ｆ，５ｇを介してクリップ５ｈ付きの側板５ｈ１及び側板５ｉが設けられている。側板５ｈ１及び５ｉは、平板状に形成されている。クリップ５ｈは、側板５ｈ１と連設して形成されており、いわゆる筆記具１のクリップとして紙等を挟み込むことができるものである。
【００２１】
側板５ｈ１，５ｉは、操作本体２の側面を部分的に覆うカバーの役割を果たすものである。そして、図３，４に示す通り、操作部２ｃの後方側の円弧状端部２ｃ１（張出し状部）は、その一部を側板５ｈ１に対して円弧状端部２ｃ１を下側にして（換言すれば側板５ｈ１が覆いかぶさるようにして）設けられている。これにより、操作部２ｃと連設する脚部２ｂの軸心回りの捩り変形を防止している。すなわち、対向する操作部２ｃが図の紙面と垂直な方向に互いにずれようとする力を受けた場合でも、側板５ｈ１とオーバーラップしている円弧状端部２ｃ１とが当接することにより、操作部２ｃ（脚部２ｂ）の変形が防止されるものである。
【００２２】
なお、背面側（図５参照）の円弧状端部２ｃ１は側板５ｉとオーバーラップされていない。少なくとも一部の円弧上端部２ｃ１と側板がオーバーラップしていれば、捻り変形の防止が図れるからである。
【００２３】
また、図３，図５，図６において、操作本体２の側板５ｈ１，５ｉの側面と対応する縁部分には、ガイドリブ２ｆが立設している。側板５ｈ１，５ｉの側面は、このガイドリブ２ｆと接触または近接することによりガイドされている。よって、カバー本体５の前後方向の移動を補助的ガイドし、ブレ等を防止している。
【００２４】
本実施例においては、さらに、一方の脚部２ｂの後方端部付近に、孔形成部２ｇが設けられている。孔形成部２ｇには図の紙面の上下方向に貫通する孔２ｇ１が開けられている。ここにネックストラップ等を通すことができる。さらに、操作本体２の後端には、他物品（所定のアタッチメント部材等）を収納できる収納スペース２ｈが設けられている。
【００２５】
本実施例における筆記具１の作用を説明する。定常状態（図１，図３）において、一方の操作部２ｃと他方の操作部２ｃとを、それぞれ第１指（親指）と第２指（人差し指）で摘むようにして押圧する。すると、係合部２ｅ１は、コイルバネ４の付勢力に抗して駆動斜面５ｃに倣って相対的に下っていく。すなわち、カバー本体５が相対的に後方に移動することとなる。係合部２ｅ１が駆動斜面５ｃの前端に達すると、ペン先部３ａが突出し、筆記状態となる。ここで、本実施例では、駆動斜面５ｃの前端部に係合段部５ｄが設けられているので、この筆記状態において係合部２ｅ１と係合段部５ｄとが係合する。よって、操作部２ｃを軽く押圧するだけで（すなわち脚部２ｂの弾発力に抗して押圧するだけで）、係合部２ｅ１と係合段部５ｄの係合状態、すなわちペン先部３ａが突出した状態が保持され、筆記することができる（図２，図４）。
【００２６】
操作部２ｃの押圧力を解除すると、脚部２ｂの弾性力により操作部２ｃは外向きに開放され、係合部２ｅ１と係合段部５ｄの係合状態は解除される。そして、操作部２ｃは定常状態（図１，図３）の位置に復帰する。すると、カバー本体５はコイルバネ４の付勢力により前方に移動する。係合部２ｅ１と規制段部５ｅの当接によりカバー本体５の前方移動が停止（規制）し、ペン先部３ａが没入した定常状態に復帰する。
【００２７】
このように簡易にペン先部３ａの出没操作を行うことができるので、従来公知の筆記具のように、後端のノック部を押したりキャップを外す等の動作無く筆記することができる。
【００２８】
さらに、本実施例における操作部２ｃは、対向する２つの操作部２ｃが円弧状に形成されている。よって、例えば一方を第２指（人差し指）の腹で押圧し、他方を第１指（親指）の腹と第３指（中指）の第一関節付近（すなわち爪の根本付近）で支持する、いわゆる３点支持による円筒状軸筒を有する一般的な筆記具と同様の方式により支持し、筆記することもできる。
【００２９】
筆記芯３を交換する場合には、筆記状態（図２，図４）において、ペン先部３ａを摘んで筆記芯３を引き抜くことができる。筆記芯３を引き抜いても、カバー本体５はカバー本体部５ａの大内径部５ｂ１の内径とホルダー２ｄの大内径部２ｄ２の外周との摺接によりガイド手段が形成されており、コイルバネ４も両端を係止されているので、筆記芯３を引き抜いても筆記具１が分解等されることも無い。また、筆記芯の交換のために、操作本体２の操作部２ｃ（及び脚部２ｂ）を外向きに広げて筆記具１を分解する必要も無い。
【００３０】
なお、ペン先部３ａの突出量が小さく摘み難い場合には、さらに後方にカバー本体５を手動で移動させることもできる。また、係合段部５ｄのさらに前方に係合部２ｅ１と係合可能な突起等（芯交換用係合部）を設けることにより、更に後方に移動したカバー本体５を係止させておくこともできる。
【００３１】
以上、本発明の実施例を詳細に説明したが、本発明はこれに限定されることなく、本発明の要旨を変更しない範囲で適宜変更することができる。
【００３２】
例えば、本実施例では操作部２ｃを横断面略円弧状に形成しているが、平板状に形成して、円弧状端部２ｃ１に相当する張出し部を操作部（２ｃ）又は脚部（２ｂ）に設けて側板（５ｈ１，５ｉ）とオーバーラップさせてもよい。張出し状部は平板状，ピン状，突起状等の種々の形状を採用することができる。
【符号の説明】
【００３３】
１  筆記具
２  操作本体
２ａ  基部
２ｂ  脚部
２ｃ  操作部
２ｃ１  円弧状端部（張出し状部）
２ｄ  ホルダー
２ｄ１  小内径部
２ｄ２  大内径部
２ｄ３  接続部
２ｄ４  長孔
２ｅ  係合壁
２ｅ１  係合部
２ｅ２  リブ
２ｆ  ガイドリブ
２ｇ  孔形成部
２ｇ１  孔
２ｈ  収納スペース
３  筆記芯
３ａ  ペン先
３ａ  ペン先部
３ｂ  インクタンク
４  コイルバネ
５  カバー本体
５ａ  カバー本体部
５ｂ  貫通孔
５ｂ１  大内径部
５ｂ２  小内径部
５ｂ３  接続部
５ｃ  駆動斜面
５ｄ  係合段部
５ｅ  規制段部
５ｆ，５ｇ  支持リブ
５ｈ  クリップ
５ｈ１  側板
５ｉ  側板
【図１】
0005496816.tif 000002
【図２】
0005496816.tif 000003
【図３】
0005496816.tif 000004
【図４】
0005496816.tif 000005
【図５】
0005496816.tif 000006
【図６】
0005496816.tif 000007
【図７】
0005496816.tif 000008